(57)【要約】【課題】簡単な構成で照射領域上の照射分布を均一にすることができ、被照射体を良好に読取ることができる低コストな光照射装置、画像読取装置および画像形成装置を提供すること。【解決手段】コンタクトガラス１５の一定の照射領域Ｅに光を照射し、コンタクトガラス１５を通してコンタクトガラス１５上に存在する原稿Ｐを照射する発光ダイオード４３と、発光ダイオード４３を保持位置で保持する回路基板５１とを有する光照射装置５０において、発光ダイオード４３とコンタクトガラス１５の間に回路基板５１を設置し、発光ダイオード４３を回路基板５１の照射領域Ｅ側の端部５１ａから照射領域Ｅと反対方向に離隔する保持位置に設置することにより、回路基板５１に発光ダイオード４３の保持位置から照射領域Ｅに向かって延在する光遮蔽部５１ｂを形成する。【選択図】図４
2008129247.tif 000002
【特許請求の範囲】
【請求項１】
透明部材の一定範囲の照射領域に光を照射し、前記透明部材を通して前記透明部材上に存在する被照射体を照射する発光素子と、前記発光素子を保持位置で保持する保持部材とを有する光照射装置において、
前記発光素子と前記透明部材の間に前記保持部材を設置し、前記発光素子を前記保持部材の前記照射領域側端部から照射領域と反対方向に離隔する保持位置に設置することにより、前記保持部材に前記発光素子の保持位置から前記照射領域に向かって延在する光遮蔽部を形成したことを特徴とする光照射装置。
【請求項２】
前記保持部材は、前記発光素子を駆動する回路基板からなることを特徴とする請求項１に記載の光照射装置。
【請求項３】
前記発光素子を保持して前記発光素子を駆動する回路基板を備え、
前記保持部材は、前記回路基板を前記保持位置で保持して画像読取装置に装着可能な装着部材からなることを特徴とする請求項１に記載の光照射装置。
【請求項４】
前記発光素子は、前記回路基板の照射領域側端部近傍の第１保持位置に設置されることを特徴とする請求項２に記載の光照射装置。
【請求項５】
前記発光素子は、前記回路基板の照射領域側端部近傍の第１保持位置から照射領域と反対方向に離隔する第２保持位置に設置されることを特徴とする請求項２に記載の光照射装置。
【請求項６】
前記発光素子は、前記回路基板の照射領域側端部近傍の第１保持位置と、前記照射領域側端部近傍から照射領域と反対方向に離隔する第２保持位置との間の第３保持位置に設置されることを特徴とする請求項２に記載の光照射装置。
【請求項７】
前記回路基板の照射領域側端部は、前記装着部材の照射領域側端部近傍の第１保持位置に設置されることを特徴とする請求項３に記載の光照射装置。
【請求項８】
前記回路基板の照射領域側端部は、前記装着部材の照射領域側端部近傍の第１保持位置から照射領域と反対方向に離隔する第２保持位置に設置されることを特徴とする請求項３に記載の光照射装置。
【請求項９】
前記回路基板の照射領域側端部は、前記装着部材の照射領域側端部近傍の第１保持位置と、前記装着部材の照射領域側端部近傍から照射領域と反対方向に離隔する第２保持位置との間の第３保持位置に設置されることを特徴とする請求項３に記載の光照射装置。
【請求項１０】
前記発光素子を保持する前記保持部材の保持面は、前記発光素子の照射面と略垂直方向に延在することを特徴とする請求項１〜請求項９の何れか１項に記載の光照射装置。
【請求項１１】
前記発光素子は、前記照射領域に対して副走査方向一端部から外方に位置し、
前記保持部材の照射領域側端部は、前記保持面から略直交する方向に延在する前記発光素子の照射面の延在方向端部と、前記照射領域の副走査方向一端部とを結んだ線上に位置することを特徴とする請求項１〜請求項１０の何れか１項に記載の光照射装置。
【請求項１２】
少なくとも前記発光素子の保持面側の前記光遮蔽部表面を黒色にしたことを特徴とする請求項１〜請求項１１の何れか１項に記載の光照射装置。
【請求項１３】
前記保持部材が光遮蔽部材から構成されることを特徴とする請求項２〜請求項１２の何れか１項に記載の光照射装置。
【請求項１４】
前記発光素子は、前記被照射体の主走査方向に沿って複数個設けられることを特徴とする請求項１〜請求項１３の何れか１項に記載の光照射装置。
【請求項１５】
請求項１〜請求項１４の何れか１項に記載の光照射装置を備えたことを特徴とする画像読取装置。
【請求項１６】
記録媒体に画像を形成する画像形成手段を有するとともに、請求項１５に記載の画像読取装置を備えたことを特徴とする画像形成装置。
【発明の詳細な説明】
【技術分野】
【０００１】
本発明は、光照射装置、画像読取装置および画像形成装置に関し、例えば、原稿等の被照射体を読取るために被照射体に光を照射する発光素子を備えたスキャナ装置等の画像読取装置およびこの画像読取装置を備えたファクシミリ装置、複写機、複合機等の画像形成装置に関する。
【背景技術】
【０００２】
一般に、ファクシミリ装置、複写機、複合機等に設けられたスキャナ装置等の画像読取装置にあっては、光源から原稿に光を照射し、原稿からの反射光を複数のミラーで折り返してＣＣＤイメージセンサ等の撮像素子に入射するようにしている。
【０００３】
図１３は従来の画像読取装置の構成図である。図１３において、円筒形状のキセノンランプ１１１からコンタクトガラス１１７に載置された原稿に照射される光は、第１ミラー１１２ａに反射された後、第２ミラー１１２ｂ、第３ミラー１１２ｃの順に折り返されるようになっている。
【０００４】
第３ミラー１１２ｃによって折り返された反射光は結像レンズ１１３によってＣＣＤイメージセンサ等の撮像素子１１４に結像され、撮像素子１１４によって光電変換される。
【０００５】
また、キセノンランプ１１１および第１ミラー１１２ａは第１キャリッジ１１５に搭載されているとともに、第２ミラー１１２ｂおよび第３ミラー１１２ｃは第２キャリッジ１１６に搭載されており、コンタクトガラス１１７の下方で原稿を読取るときに、第１キャリッジ１１５および第２キャリッジ１１６が副走査方向に走行し、キセノンランプ１１１によって原稿の主走査を行うことにより、原稿面全体の読取りが行われる。
【０００６】
従来では、図１４に示すように、キセノンランプ１１１に対して原稿の副走査方向にリフレクタ１１８を対向させて設置することにより、キセノンランプ１１１からの照射光をリフレクタ１１８で原稿に反射させるようにしたものがある。このようにすれば、キセノンランプ１１１からコンタクトガラス１１７上の照射領域の照度分布を適正化することができるとともに、切り貼り原稿を読取った際に、原稿の段差によって発生する影を無くすことができる。
【０００７】
このような画像読取装置にあっては、光源の立ち上がりのスピード、省エネルギー化、長寿命化等の要望があり、近時では、キセノンランプ１１１に代えて発光ダイオード等の発光素子を用いた光源を採用する傾向になっている。
【０００８】
図１５、図１６は発光ダイオードを採用した画像読取装置を示す図である。図１５、図１６において、第１キャリッジ１１５には断面Ｖ字状のブラケット１２１が取付けられており、このブラケット１２１には発光ダイオード１２２および発光ダイオード１２２を駆動する回路基板１２３が取付けられている。
【０００９】
ところで、図１４に示す縮小光学系を採用した画像読取装置にあっては、原稿面から撮像素子１１４までの距離が長いため、その間で光源からの照射光の減衰が大きくなることから、発光ダイオード１２２の照度を高くする必要がある。
このため、発光ダイオード１２２の原稿の主操作方向に複数個設置し、原稿面での照度を高くするようにしている。
【００１０】
また、発光ダイオード１２２をアレイ状に配列した場合には、原稿面で副走査方向の良好な照度分布を得るため、発光ダイオード１２２をブラケット１２１によって原稿面に対向するように傾けて配設することが好ましく、このときの原稿面での副走査方向の照度分布は、図１７に示すように、斜線で示す原稿面の照射領域Ｅ、すなわち、原稿の実読取領域のみに光が照射されることが望ましい。
【００１１】
ところが、発光ダイオード１２２を傾けて配置し、発光ダイオード１２２からの照射光をリフレクタ１１８によって原稿面に反射させた場合であっても、原稿面での副走査方向の照度分布は、図１８に示すように照射領域Ｅ以外の領域にも光が照射されてしまうことになる。
【００１２】
この場合には、例えば、白に挟まれた小さい黒ベタ部を持つ画像を読取ると、照射領域Ｅにある白部の原稿に反射した光が撮像素子１１４に入ってしまい、黒ベタ部の出力値が上がってしまうため、黒ベタを忠実に再現できないことになる。
【００１３】
このような不具合を解消するものとしては、発光ダイオードの照射面に長尺な導光部材を設け、この導光部材によって発光ダイオードから照射される光を照射領域内に導くことにより、照度分布を照射領域において均一にするようにした照明装置がある（例えば、特許文献１参照）。
【特許文献１】特開２００４−３６１４２５号公報
【発明の開示】
【発明が解決しようとする課題】
【００１４】
しかしながら、このような従来の照明装置にあっては、長尺な導光部材を発光ダイオードの照射面に取付けるようにしているため、部品点数が増大して照明装置の製造コストが増大してしまうという問題があった。
【００１５】
本発明は、従来の問題を解決するためになされたもので、簡単な構成で照射領域上の照射分布を均一にすることができ、被照射体を良好に読取ることができる低コストな光照射装置、画像読取装置および画像形成装置を提供することを目的とする。
【課題を解決するための手段】
【００１６】
本発明の光照射装置は、透明部材の一定範囲の照射領域に光を照射し、前記透明部材を通して前記透明部材上に存在する被照射体を照射する発光素子と、前記発光素子を保持位置で保持する保持部材とを有する光照射装置において、前記発光素子と前記透明部材の間に前記保持部材を設置し、前記発光素子を前記保持部材の前記照射領域側端部から照射領域と反対方向に離隔する保持位置に設置することにより、前記保持部材に前記発光素子の保持位置から前記照射領域に向かって延在する光遮蔽部を形成したものから構成されている。
【００１７】
この構成により、発光素子と透明部材の間に保持部材を設置し、発光素子を保持部材の照射領域側端部から照射領域と反対方向に離隔する保持位置に設置することにより、保持部材に発光素子の保持位置から照射領域に向かって延在する光遮蔽部を形成したので、照射領域以外に照射される直接光を光遮蔽部によって遮蔽して、発光素子からの照射光を照射領域に導くことができる。このため、照射領域上の照射分布を均一にして被照射体を良好に読取ることができる。
【００１８】
また、例えば、発光素子を保持部材の下面に設置して照射領域側端部から離隔する位置に発光素子を設置することにより、簡単な構造で光遮蔽部を形成することができるので、光照射装置の製造コストが増大するのを防止することができる。
【００１９】
また、本発明の光照射装置の前記保持部材は、前記発光素子を駆動する回路基板からなるものから構成されている。
【００２０】
この構成により、発光素子を回路基板の下面に設置して照射領域側端部から離隔する位置に発光素子を設置することにより、簡単な構造で光遮蔽部を形成することができるので、光照射装置の製造コストが増大するのを防止することができる。
【００２１】
また、本発明の光照射装置は、前記発光素子を保持して前記発光素子を駆動する回路基板を備え、前記保持部材は、前記回路基板を前記保持位置で保持して画像読取装置に装着可能な装着部材からなるものから構成されている。
【００２２】
この構成により、発光素子および回路基板を画像読取装置に保持するための装着部材に対して発光素子を下面にした状態で、装着部材の照射領域側端部から離隔する位置に発光素子および回路基板を設置することにより、簡単な構造で光遮蔽部を形成することができるので、光照射装置の製造コストが増大するのを防止することができる。
【００２３】
また、本発明の光照射装置の前記発光素子は、前記回路基板の照射領域側端部近傍の第１保持位置に設置されるものから構成されている。
【００２４】
この構成により、発光素子を回路基板の照射領域側端部近傍の第１保持位置に設置することにより、光遮蔽部の長さを短くすることができ、光の遮蔽量を少なくすることができる。このため、照射領域以外に照射される直接光を光遮蔽部によって遮蔽しつつ、副走査方向の照射領域の幅を広く調整することができる。
【００２５】
また、本発明の光照射装置の前記発光素子は、前記回路基板の照射領域側端部近傍の第１保持位置から照射領域と反対方向に離隔する第２保持位置に設置されるものから構成されている。
【００２６】
この構成により、発光素子を回路基板の照射領域側端部近傍の第１保持位置から照射領域と反対方向に離隔する第２保持位置に設置することにより、光遮蔽部の長さを長くすることができ、光の遮蔽量を多くすることができる。このため、照射領域以外に照射される直接光を光遮蔽部によって遮蔽しつつ、副走査方向の照射領域の幅を狭く調整することができる。
【００２７】
また、本発明の光照射装置の前記発光素子は、前記回路基板の照射領域側端部近傍の第１保持位置と、前記照射領域側端部近傍から照射領域と反対方向に離隔する第２保持位置との間の第３保持位置に設置されるものから構成されている。
【００２８】
この構成により、発光素子を、回路基板の照射領域側端部近傍の第１保持位置と、照射領域側端部近傍から照射領域と反対方向に離隔する第２保持位置との間の第３保持位置に設置することにより、発光素子を第１保持位置または第２保持位置に設置したものに対して、光遮蔽部の長さをその間の長さにすることができる。このため、照射領域以外に照射される直接光を光遮蔽部によって遮蔽しつつ、副走査方向の照射領域の幅を、発光素子を第１保持位置または第２保持位置したときの照射領域の間の幅に調整することができる。
【００２９】
また、本発明の光照射装置の前記回路基板の照射領域側端部は、前記装着部材の照射領域側端部近傍の第１保持位置に設置されるものから構成されている。
【００３０】
この構成により、回路基板の照射領域側端部を装着部材の照射領域側端部近傍の第１保持位置に設置することにより、光遮蔽部の長さを短くすることができ、光の遮蔽量を少なくすることができる。このため、照射領域以外に照射される直接光を光遮蔽部によって遮蔽しつつ、副走査方向の照射領域の幅を広く調整することができる。
【００３１】
また、本発明の光照射装置の前記回路基板の照射領域側端部は、前記装着部材の照射領域側端部近傍の第１保持位置から照射領域と反対方向に離隔する第２保持位置に設置されるものから構成されている。
【００３２】
この構成により、回路基板の照射領域側端部は、前記装着部材の照射領域側端部近傍の第１保持位置から照射領域と反対方向に離隔する第２保持位置に設置することにより、光遮蔽部の長さを長くすることができ、光の遮蔽量を多くすることができる。このため、照射領域以外に照射される直接光を光遮蔽部によって遮蔽しつつ、副走査方向の照射領域の幅を狭く調整することができる。
【００３３】
また、本発明の光照射装置の前記回路基板の照射領域側端部は、前記装着部材の照射領域側端部近傍の第１保持位置と、前記装着部材の照射領域側端部近傍から照射領域と反対方向に離隔する第２保持位置との間の第３保持位置に設置されるものから構成されている。
【００３４】
この構成により、回路基板の照射領域側端部を、装着部材の照射領域側端部近傍の第１保持位置と、照射領域側端部近傍から照射領域と反対方向に離隔する第２保持位置との間の第３保持位置に設置することにより、発光素子を第１保持位置または第２保持位置に設置したものに対して、光遮蔽部の長さをその間の長さにすることができる。このため、照射領域以外に照射される直接光を光遮蔽部によって遮蔽しつつ、副走査方向の照射領域の幅を、発光素子を第１保持位置または第２保持位置したときの照射領域の間の幅に調整することができる。
【００３５】
また、本発明の光照射装置の前記発光素子を保持する前記保持部材の保持面は、前記発光素子の照射面と略垂直方向に延在するものから構成されている。
この構成により、例えば、発光素子の照射面に対して光遮蔽部を上方に位置させることができるため、発光素子から照射される光の一部を光遮蔽部によって確実に遮蔽して照射領域に光を導くことができ、照射領域上の照射分布を均一にすることができる。
【００３６】
また、本発明の光照射装置の前記発光素子は、前記照射領域に対して副走査方向一端部から外方に位置し、前記保持部材の照射領域側端部は、保持面から略直交する方向に延在する前記発光素子の照射面の延在方向端部と、前記照射領域の副走査方向一端部とを結んだ線上に位置するものから構成されている。
【００３７】
この構成により、保持部材の照射領域側端部を、保持面から直交する方向に延在する前記発光素子の照射面の延在方向端部と、照射領域の副走査方向一端部とを結んだ線上に位置させるようにしたので、例えば、発光素子の照射面に対して光遮蔽部を上方に位置させることができる。このため、発光素子から照射される光の一部を光遮蔽部によって確実に遮蔽して照射領域に光を導くことができ、照射領域上の照射分布を均一にすることができる。
【００３８】
また、本発明の光照射装置は、少なくとも前記発光素子の保持面側の前記光遮蔽部表面を黒色にしたものから構成されている。
この構成により、発光素子の保持面側の光遮蔽部表面を黒色にしたので、光遮蔽部によって照射光を吸収し易くして、光遮蔽部を通過する照射光を少なくすることができる。このため、照射領域以外に意図しない光が照射されるのを防止して、照射領域上の照射分布を均一にして被照射体を良好に読取ることができる。
【００３９】
また、本発明の光照射装置は、前記保持部材が光遮蔽部材から構成される。
この構成により、保持部材を光遮蔽部材から構成したので、光遮蔽部によって不要な照射光を確実に遮断することができ、照射領域以外に意図しない光が照射されるのを防止することができる。このため、照射領域上の照射分布を均一にして、被照射体を良好に読取ることができる。
【００４０】
また、本発明の光照射装置の前記発光素子は、前記被照射体の主走査方向に沿って複数個設けられるものから構成されている。
この構成により、照射光量を増大させることができ、縮小光学系を採用した画像読取装置に用いた場合には、原稿面から撮像素子までの距離が長い場合であっても、照射領域に照射した光を撮像素子まで到達させることができ、被照射体の読取精度が低下するのを防止することができる。
【００４１】
また、本発明の画像読取装置は、上述した光照射装置を備えたものから構成されている。
この構成により、発光素子と透明部材の間に保持部材を設置し、発光素子を保持部材の照射領域側端部から照射領域と反対方向に離隔する保持位置に設置することにより、保持部材に発光素子の保持位置から照射領域に向かって延在する光遮蔽部を形成したので、照射領域以外に照射される直接光を光遮蔽部によって遮蔽して、発光素子からの照射光を照射領域に導くことができる。このため、照射領域上の照射分布を均一にして被照射体を良好に読取ることができる。
【００４２】
また、例えば、発光素子を保持部材の下面に設置して照射領域側端部から離隔する位置に発光素子を設置することにより、簡単な構造で光遮蔽部を形成することができるので、光照射装置の製造コストが増大するのを防止することができ、結果的に画像読取装置の製造コストが増大するのを防止することができる。
【００４３】
また、本発明の画像形成装置は、記録媒体に画像を形成する画像形成手段を有するとともに、上述した画像読取装置を備えたものから構成されている。
この構成により、発光素子と透明部材の間に保持部材を設置し、発光素子を保持部材の照射領域側端部から照射領域と反対方向に離隔する保持位置に設置することにより、保持部材に発光素子の保持位置から照射領域に向かって延在する光遮蔽部を形成したので、照射領域以外に照射される直接光を光遮蔽部によって遮蔽して、発光素子からの照射光を照射領域に導くことができる。このため、照射領域上の照射分布を均一にして被照射体を良好に読取ることができる。
【００４４】
また、例えば、発光素子を保持部材の下面に設置して照射領域側端部から離隔する位置に発光素子を設置することにより、簡単な構造で光遮蔽部を形成することができるので、光照射装置の製造コストが増大するのを防止することができ、結果的に画像形成装置の製造コストが増大するのを防止することができる。
【発明の効果】
【００４５】
本発明は、簡単な構成で照射領域上の照射分布を均一にすることができ、被照射体を良好に読取ることができる低コストな光照射装置、画像読取装置および画像形成装置を提供することができる。
【発明を実施するための最良の形態】
【００４６】
以下、本発明に係る光照射装置、画像読取装置および画像形成装置の実施の形態について、図面を用いて説明する。
図１〜図８は本発明に係る光照射装置、画像読取装置および画像形成装置の第１の実施の形態を示す図であり、画像形成装置を画像読取装置としてのスキャナ装置を備えた複写機に適用した例を示している。
なお、画像形成装置としては、複写機に限らず、ファクシミリ装置、複写機能とファクシミリ機能を備えた複合機等の画像形成装置に適用することができる。
【００４７】
まず、構成を説明する。図１において、複写機１０は、自動原稿搬送装置１１、給紙部１２、画像読取部（画像読取装置）１３および画像形成部（画像形成手段）１４を備えている。
【００４８】
自動原稿搬送装置１１は、原稿トレイ１６に載置された原稿を給紙ローラや分離ローラ等の各種ローラからなる分離給紙手段１７によってコンタクトガラス１５上に搬送し、読取りが終了した原稿を搬送ベルト１８によって透明部材としてのコンタクトガラス１５上から搬出した後、各種排紙ローラからなる排紙手段１９によって排紙トレイ２０に排紙する。
【００４９】
また、原稿の両面を読取る場合には、排紙手段１９に設けられた分岐機構および搬送ベルト１８によって原稿をコンタクトガラス１５上に返送して未読取面の読取りを行うようになっている。
【００５０】
給紙部１２は、異なるサイズの記録媒体としての記録紙を収納する給紙カセット２１ａ、２１ｂと、給紙カセット２１ａ、２１ｂに収納された記録紙を転写位置まで搬送する各種ローラからなる給紙手段２２とを備えている。
【００５１】
また、画像読取部１３は、詳しくは後述するが、第１キャリッジ３５、第２キャリッジ３６を図１中、左右方向（副走査方向）に駆動して光源により原稿面に光を照射して原稿面を読取り、この読取光をミラーで反射した後、レンズユニット３７によってＣＣＤ等の画像読取センサに取り込むようになっている。
【００５２】
画像形成部１４は、レンズユニットに取り込まれた読取信号に基づいて書き込み信号を形成する露光装置２３と、露光装置２３によって生成された書き込み信号が表面に形成される複数の感光体ドラム２４と、シアン、マゼンタ、イエロー、ブラックとそれぞれ異なる色のトナーが充填され、各感光体ドラム２４に異なる色のトナーを供給して書き込み信号を可視像化させる現像装置２５と、感光体ドラム２４上に形成された可視像が重ねられて転写されることによりカラー画像が形成され、このカラー画像を給紙部１２から給紙された記録紙に転写する転写ベルト２６と、記録紙に定着されたカラー画像を記録紙に定着する定着装置２７とを備えている。
【００５３】
図２、図３は画像読取部１３の構成を示す図である。なお、図２は画像読取部１３の各部品の位置関係を示す側面図である。また、図３は第２キャリッジ３６の駆動用の駆動ワイヤ３３と各プーリの関係を説明するための模式図であり。図３（ａ）は側面図、図３（ｂ）は駆動ワイヤ３３の連結状態を上から見た状態で示す図である。
【００５４】
図２、図３において、画像読取装置１３は本体フレーム３１、駆動軸３２、駆動ワイヤ３３、ワイヤ駆動プーリ３４、第１キャリッジ３５、第２キャリッジ３６、レンズユニット３７、張力スプリング３９、キャリッジプーリ４０、アイドラプーリ４１、４２および撮像素子５７を備えている。
【００５５】
本体フレーム３１の内部には図示しない第１レールと第２レールが設けられており、第１レールには走行体としての第１キャリッジ３５が摺動自在に取付けられているとともに、第２レールには第２キャリッジ３６が摺動自在に取付けられている。
【００５６】
駆動軸３２は図示しないモータに連結されており、この駆動軸の両端部にはワイヤ駆動プーリ３４が取付けられている。このワイヤ駆動プーリ３４には駆動ワイヤ３３が巻回されており、この駆動ワイヤ３３は所定方向である図３中、左右方向に延在している。
【００５７】
駆動ワイヤ３３は第１キャリッジ３５の駆動用と第２キャリッジ３６の駆動用の２本が用いられるが、図３では第２キャリッジ３６の駆動用の駆動ワイヤ３３を図示している。
【００５８】
なお、駆動ワイヤ３３およびアイドラプーリ４１、４２は本体フレーム３１の前後に１本ずつ設けられているが、何れも同じ構成および機能を有するので、片側の駆動ワイヤ３３、アイドラプーリ４１、４２について説明をする。すなわち、本実施の形態では、ワイヤ３３が２本、アイドラプーリ４１、４２が本体フレーム３１の四隅に４個設けられている。
また、第２キャリッジ３６にはキャリッジプーリ４０が設けられており、駆動ワイヤ３３はキャリッジプーリ４０やアイドラプーリ４１、４２を経由するようになっている。
【００５９】
図４、図５に示すように第１キャリッジ３５は、平板状のベース板３５ａとベース板３５ａに垂下された一対の側板３５ｂとを備えており、側板３５ｂの間に第１ミラー４４ａが取付けられている。なお、側板３５ｂは、図４中、紙面方向に離隔して一対設けられているが、図４では一方の側板３５ｂのみを示している。
【００６０】
また、ベース板３５ａには装着部材としてのブラケット５２を介して保持部材として平板状の回路基板５１が取付けられており、この回路基板５１には発光素子としての発光ダイオード４３が原稿の主走査方向に沿って複数個取付けられている。本実施の形態では、発光ダイオード４３、回路基板５１、ブラケット５２、リフレクタ５３および第１キャリッジ３５が光照射装置５０を構成している。
【００６１】
この発光ダイオード４３は回路基板５１に駆動されることにより、照射面４３ａからコンタクトガラス１５に向かって光を照射するようになっている。また、回路基板５１はネジまたは接着等によってブラケット５２に固定されており、このブラケット５２は断面略Ｖ字状に形成され、板金やアルミニウム等の金属から構成されている。
【００６２】
また、第１キャリッジ３５には、光照射装置５０に対して副走査方向に対向するようにリフレクタ５３が設けられており、このリフレクタ５３の上部は発光ダイオード４３から照射された光をコンタクトガラス１５に導くことができるように、副走行方向左方、すなわち、第１キャリッジ３５の走行方向リターン側に折り曲げられた折り曲げ部５３ａが形成されている。なお、ベース板３５ｂ、側板３５ｂおよびリフレクタ５３はモールド樹脂で一体成形されている。
【００６３】
このリフレクタ５３は発光ダイオード４３からの照射光が折り曲げ部５３ａによって原稿面に反射されるようになっており、切り貼り原稿を読取った際に、原稿の段差によって発生する影を無くすことができる。
【００６４】
このように発光ダイオード４３からの照射光は、発光ダイオード４３からの照射光およびリフレクタ５３からの反射光によって、コンタクトガラス１５の照射領域Ｅの範囲に照射されるようになっている。本実施の形態では、発光ダイオード４３によってコンタクトガラス１５上に光が照射される一定範囲が照射領域Ｅとなる。また、照射領域Ｅは原稿の副走査方向に延在する領域である。
【００６５】
したがって、照射領域Ｅにおいてコンタクトガラス１５上に存在する被照射体としての原稿Ｐの画像の読取りが行われる。
【００６６】
また、発光ダイオード４３に対する回路基板５１の保持面は、発光ダイオード４３の照射面４３ａと略垂直方向に延在している。
なお、回路基板５１の保持面とは発光ダイオード４３が取付けられる側の面であり、図４中、回路基板５１の裏面全面のことである。また、回路基板５１の保持位置とは、回路基板５１の保持面上において発光ダイオード４３が回路基板５１に固定される位置のことである。
【００６７】
また、回路基板５１は発光ダイオード４３とコンタクトガラス１５の間に位置するように配置されており、発光ダイオード４３は回路基板５１に対して下方に設置されている。
また、発光ダイオード４３は、回路基板５１の照射領域Ｅ側の端部５１ａから照射領域Ｅと反対方向に離隔する保持位置に設置されており、回路基板５１には発光ダイオード４３を保持する保持面上の保持位置から照射領域Ｅに向かって延在する光遮蔽部５１ｂ（斜線で示す）が形成されている。
【００６８】
また、発光ダイオード４３は、照射領域Ｅに対して副走査方向一端部、すなわち、図４における照射領域Ｅの右端部から外方に位置しており、回路基板５１の端部５１ａは、回路基板５１の保持面から略直交する方向に延在する発光ダイオード４３の照射面４３ａの延在方向端部、すなわち、図４における照射面４３ａの下端部と照射領域Ｅの副走査方向一端部とを結んだ線ｂ上に位置している。
【００６９】
したがって、光遮蔽部５１ｂによって図４中、ａで示すように照射領域Ｅに対して副走行方向右側、すなわち、第１キャリッジ３５が原稿Ｐの副走査側に走行する方向に光が漏出するのを防止することができ、照射領域Ｅの範囲内に光を照射することができる。
【００７０】
また、回路基板５１は、カーボンを含むポリエステルフィルムやＰＥＴ材質等のように光密度が高くて光を透過し難い光遮蔽部材から構成されており、光遮蔽部５１ｂによって光を確実に遮蔽することができるようになっている。
【００７１】
一方、ベース板３５ｂには開口部３５ｃが形成されており、発光ダイオード４３から原稿Ｐに照射され、原稿Ｐから反射される光は開口部３５ｃを通して第１ミラー４４ａに入射される。
【００７２】
また、第１キャリッジ３５はワイヤ駆動プーリ３４と第２キャリッジ３６の間に配置され、第１キャリッジ３５が駆動ワイヤ３３に引かれて所定の速度Ｖで走行すると、光照射装置５０がコンタクトガラス１５に載置された原稿を副走査する。
【００７３】
発光ダイオード４３から原稿に照射されたときに原稿の反射光は、第１ミラー４４ａによって第２キャリッジ３６に向けて折り返されるようになっており、この反射光は第２キャリッジ３６に搭載された第２ミラー４４ｂおよび第３ミラー４４ｃによってさらに折り返された後、レンズユニット３７に入射される。
【００７４】
そして、この反射光はレンズユニット３７に含まれる結像レンズによって焦点面に置かれたＣＣＤ等の撮像素子５７に集光結像される。これにより、撮像素子５７は発光ダイオード４３に沿った原稿上のラインを主走査する。
【００７５】
また、第２キャリッジ３６は、第２ミラー４４ｂおよび第３ミラー４４ｃによる光の折り返しに伴う光路の重複分を相殺するため、第１キャリッジ３５の半分の速度、すなわちＶ／２の速度で第１キャリッジ３５と同方向に走行するようになっており、第２キャリッジ３６は第１キャリッジ３５の走行距離Ｌの半分の走行距離（Ｌ／２）で走行する。
【００７６】
この走行速度の関係により、第１キャリッジ３５および第２キャリッジ３６の走行があっても、原稿面からレンズユニット３７までの光の光路長が変化しないようになっている。
【００７７】
一方、駆動ワイヤ３３は、ワイヤ駆動プーリ３４に巻き付けられて左方向および右方向に延びる２つの系統がある。左方向に延びる駆動ワイヤの部分３３ａは、軸が本体フレーム３１に固定されたアイドラプーリ４１によって折り返されて部分３３ｂとなり、外側キャリッジプーリ４０ｂに至り、再びここで折り返されて部分３３ｃとなって端部がアイドラプーリ４１を固定される。
【００７８】
また、右向に延びる駆動ワイヤ３３の部分３３ｄは、本体フレーム３１に固定されたアイドラプーリ４２によって折り返されて部分３３ｅとなって内側キャリッジプーリ４０ａに至り、再びここで折り返されて部分３３ｆとなってばね部材としての張力スプリング３９を介してアイドラプーリ４２に固定される。
【００７９】
また、図２中、左側には図示しないホームポジションセンサが設けられており、第１キャリッジ３５が図２中、左側に走行してホームポジションセンサを通過して駆動軸３２を駆動するモータが所定パルスだけ駆動されると、モータを停止させるようになっている。
【００８０】
このとき、駆動軸３２を介してワイヤ駆動プーリ３４を停止させる。この位置が第１キャリッジ３５のホームポジション位置となり、原稿の読取りが終了したときには第１キャリッジ３５は常にホームポジション位置に走行してこの位置から再び走行が開始されることになる。
【００８１】
また、本実施の形態の第１キャリッジ３５および第２キャリッジ３６は、発光ダイオード４３から原稿に光を照射して原稿を走査する場合に、図１中、右側の走査方向に走行し、ホームポジション位置に復帰する場合には、図１中、左側のリターン方向に走行する。
【００８２】
そして、リターン方向に走行する場合には、原稿の読取速度の影響を受けないので、原稿の生産性を上げるために、高速度で走行する。
【００８３】
このような構成を有する複写機１０にあっては、第１キャリッジ３５および第２キャリッジ３６を主走査方向に走行させることにより、発光ダイオード４３から原稿Ｐに光を照射する。このとき、発光ダイオード４３から照射された光の一部がリフレクタ５３によって原稿Ｐに反射される。この結果、照射領域Ｅで示す範囲で原稿Ｐに光が照射される。
【００８４】
原稿Ｐからの反射光は第１ミラー４４ａ、第２ミラー４４ｂおよび第３ミラー４４ｃの順に折り返された後、レンズユニット３７に入射され、レンズユニット３７の結像レンズによって焦点面に置かれた撮像素子５７に集光結像される。これにより、撮像素子５７は発光ダイオード４３に沿った原稿上のラインを主走査方向および副走査方向に走査する。
【００８５】
また、第１キャリッジ３５の走行に伴って発光ダイオード４３から照射領域Ｅに光が照射されるが、光照射装置５０に対する照射領域Ｅの位置と第１キャリッジ３５の走行位置は、図４に示すように常に一定の位置関係となる。
【００８６】
本実施の形態では、発光ダイオード４３とコンタクトガラス１５の間に回路基板５１を設置するとともに、発光ダイオード４３を回路基板５１の照射領域Ｅ側の端部５１ａから離隔する位置に設置することにより、回路基板５１に発光ダイオード４３の保持面から照射領域Ｅに向かって延在する光遮蔽部５１ｂを形成したので、照射領域Ｅ以外に照射される直接光を光遮蔽部５１ｂによって遮蔽することができる。
【００８７】
このため、発光ダイオード４３からの照射光を照射領域Ｅに導くことができ、照射領域Ｅ上の照射分布を均一にして原稿Ｐを良好に読取ることができる。
【００８８】
また、発光ダイオード４３を回路基板５１の下面に設置して照射領域Ｅ側の端部５１ａから離隔する位置に発光ダイオード４３を設置することにより、簡単な構造で光遮蔽部５１ｂを形成することができるので、光照射装置５０の製造コストが増大するのを防止することができる。この結果、複写機１０の製造コストが増大するのを防止することができる。
【００８９】
また、本実施の形態では、発光ダイオード４３に対する回路基板５１の保持面を、発光ダイオード４３の照射面４３ａと略垂直方向に延在させるようにしたので、発光ダイオード４３の照射面４３ａに対して光遮蔽部５１ｂを上方に位置させることができる。
【００９０】
このため、発光ダイオード４３から照射される光の一部を光遮蔽部５１ｂによって確実に遮蔽して照射領域Ｅに光を導くことができ、照射領域Ｅ上の照射分布を均一にすることができる。
【００９１】
また、本実施の形態では、発光ダイオード４３を照射領域Ｅに対して副走査方向一端部から外方に位置させ、回路基板５１の端部５１ａを、回路基板５１の保持面から略直交する方向に延在する発光ダイオード４３の照射面４３ａの延在方向端部と、照射領域Ｅの副走査方向一端部とを結んだ線ｂ上に位置させたので、発光ダイオード４３の照射面４３ａに対して光遮蔽部５１ｂを上方に位置させることができる。このため、発光ダイオード４３から照射される光の一部を光遮蔽部５１ｂによって確実に遮蔽して照射領域Ｅに光を導くことができ、照射領域Ｅ上の照射分布を均一にすることができる。
【００９２】
また、本実施の形態では、回路基板５１を光遮蔽部材から構成したので、光遮蔽部５１ｂによって不要な照射光を確実に遮断することができ、照射領域Ｅ以外に意図しない光が照射されるのを防止することができる。このため、照射領域Ｅ上の照射分布を均一にして、原稿Ｐを良好に読取ることができる。
【００９３】
また、本実施の形態では、発光ダイオード４３を原稿の主走査方向に沿って複数個設けたので、照射光量を増大させることができ、縮小光学系を採用した複写機１０に用いた場合には、原稿面から撮像素子５７までの距離が長い場合であっても、照射領域Ｅに照射した光を撮像素子５７まで到達させることができ、原稿Ｐの読取精度が低下するのを防止することができる。
【００９４】
なお、本実施の形態では、回路基板５１を光遮蔽部材から構成しているが、図６に示すように、光遮蔽部５１ｂの表面を黒色にしても良い。このようにすれば、光遮蔽部５１ｂによって照射光を吸収し易くして、光遮蔽部５１ｂを通過する照射光を少なくすることができる。このため、照射領域Ｅ以外に意図しない光が照射されるのを防止して、照射領域Ｅ上の照射分布を均一にして原稿Ｐを良好に読取ることができる。
【００９５】
また、光遮蔽部５１ｂの表面全体を黒色にするのではなく、発光ダイオード４３の保持面側の光遮蔽部５１ｂ表面を黒色にしても同様の効果を得ることができる。
【００９６】
また、本実施の形態では、回路基板５１の端部５１ａとコンタクトガラス１５の間隔を一定にしたときに、回路基板５１に対する発光ダイオード４３の位置を調整することにより、照射領域の副走査方向の幅、すなわち、原稿Ｐの読取領域の副走査方向の幅を調整することができる。
【００９７】
以下、図４、図７、図８に基づいて具体的に説明する。
まず、副走査方向の幅を大きくして照射領域を広くするには、図７に示すように、発光ダイオード４３を回路基板５１の照射領域Ｅ１側の端部５１ａ近傍の第１保持位置に設置する。
【００９８】
このようにすれば、光遮蔽部５１ｂの長さを短くすることができるので、光の遮蔽量を少なくすることができる。このため、ａで示すように照射領域Ｅ１以外に照射される直接光を光遮蔽部５１ｂによって遮蔽しつつ、副走査方向の照射領域Ｅ１の幅を広く調整することができる。
【００９９】
また、副走査方向の幅を狭くして照射領域を狭くするには、図８に示すように、発光ダイオード４３を、回路基板５１の照射領域Ｅ２側の端部５１ａ近傍の第１保持位置から照射領域と反対方向に離隔する第２保持位置に設置する。
【０１００】
このようにすれば、光遮蔽部５１ｂの長さを長くすることができるので、光の遮蔽量を多くすることができる。このため、ａで示すように照射領域Ｅ２以外に照射される直接光を光遮蔽部５１ｂによって遮蔽しつつ、副走査方向の照射領域Ｅ２の幅を狭く調整することができる。
【０１０１】
また、副走査方向の幅を照射領域Ｅ１とＥ２の間の幅にするには、図４に示すように、発光ダイオード４３を、回路基板５１の照射領域Ｅ側の端部５１ａ近傍の第１保持位置と、照射領域Ｅ側の端部５１ａ近傍から照射領域Ｅと反対方向に離隔する第２保持位置との間の第３保持位置に設置する。
【０１０２】
このようにすれば、光遮蔽部５１ｂの長さを図７、図８に示す光遮蔽部５１ｂの間の長さにすることができるので、照射領域Ｅ以外に照射される直接光（ａで示す）を光遮蔽部５１ｂによって遮蔽しつつ、副走査方向の照射領域Ｅの幅を照射領域Ｅ１および照射領域Ｅ２の間の幅に調整することができる。
このように回路基板５１の端部５１ａからの発光ダイオード４３の設置位置を調整することにより、照射領域を任意の幅に調整することができる。
【０１０３】
図９〜図１２は本発明に係る光照射装置、画像読取装置および画像形成装置の第２の実施の形態を示す図であり、第１の実施の形態と同様の構成には同一番号を付して説明を省略する。
【０１０４】
図９において、ベース板３５ａには保持部材および装着部材としてのブラケット６１を介して回路基板５１が取付けられており、この回路基板５１には発光素子としての発光ダイオード４３が原稿の主走査方向に沿って複数個取付けられている。本実施の形態では、発光ダイオード４３、回路基板５１、ブラケット６１、リフレクタ５３および第１走行体３５が光照射装置６０を構成している。
【０１０５】
また、回路基板５１に対するブラケット６１の保持面は、発光ダイオード４３の照射面４３ａと略垂直方向に延在している。なお、ブラケット６１の保持面とは回路基板５１が取付けられる側の面であり、図９中、ブラケット６１の傾斜部６１ａの裏面全面のことである。また、ブラケット６１の保持位置とは、ブラケット６１の保持面上において回路基板５１および発光ダイオード４３がブラケット６１に固定される位置のことである。
【０１０６】
また、ブラケット６１は回路基板５１とコンタクトガラス１５の間に位置するように配置されており、発光ダイオード４３はブラケット６１の傾斜部６１ａに対して下方に設置されている。
また、発光ダイオード４３は回路基板５１の端部５１ａ側に取付けられており、発光ダイオード４３および回路基板５１はブラケット６１の照射領域Ｅ側の端部６１ｂから照射領域Ｅと反対方向に離隔するブラケット６１の保持面上の保持位置に設置されている。
【０１０７】
したがって、ブラケット６１には発光ダイオード４３および回路基板５１の保持位置から照射領域Ｅに向かって延在する光遮蔽部６１ｃ（斜線で示す）が形成される。
【０１０８】
また、ブラケット６１の端部６１ｂは、照射領域Ｅに対して副走査方一端部、すなわち、図９における照射領域Ｅの右端部から外方に位置しており、ブラケット６１の端部６１ｂは、ブラケット６１の保持面から略直交する方向に延在する発光ダイオード４３の照射面４３ａの延在方向端部、すなわち、図９における照射面４３ａの下端部と照射領域Ｅの副走査方向一端部とを結んだ線ｂ上に位置している。
【０１０９】
したがって、ブラケット６１の光遮蔽部６１ｃによって図９中、ａで示すように照射領域Ｅに対して副走行方向右側、すなわち、第１キャリッジ３５が副走査側に走行する方向に光が漏出するのを防止することができる。
【０１１０】
また、ブラケット６１はカーボンを含むポリエステルフィルムやＰＥＴ材質等のように光密度が高くて光を透過し難い光遮蔽部材から構成されており、光遮蔽部６１ｃによって光を確実に遮蔽することができるようになっている。
【０１１１】
このように本実施の形態では、発光ダイオード４３および回路基板５１をブラケット６１の照射領域Ｅ側の端部６１ｂから照射領域Ｅと反対方向に離隔する位置に設置し、ブラケット６１に、発光ダイオード４３および回路基板５１の保持面から照射領域Ｅに向かって延在する光遮蔽部６１ｃを形成したので、照射領域Ｅ以外に照射される直接光を光遮蔽部６１ｃによって遮蔽することができる。
【０１１２】
このため、発光ダイオード４３からの照射光を照射領域Ｅに導くことができ、照射領域Ｅ上の照射分布を均一にして原稿Ｐを良好に読取ることができる。
【０１１３】
また、発光ダイオード４３および回路基板５１をブラケット６１の下面に設置して照射領域Ｅ側の端部６１ｂから離隔する位置に発光ダイオード４３および回路基板５１を設置することにより、簡単な構造で光遮蔽部６１ｃを形成することができるので、光照射装置６０の製造コストが増大するのを防止することができる。この結果、複写機１０の製造コストが増大するのを防止することができる。
【０１１４】
また、本実施の形態では、回路基板５１に対するブラケット６１の保持面を、発光ダイオード４３の照射面４３ａと略垂直方向に延在させるようにしたので、発光ダイオード４３の照射面４３ａに対して光遮蔽部６１ｃを上方に位置させることができる。
【０１１５】
このため、発光ダイオード４３から照射される光の一部を光遮蔽部６１ｃによって確実に遮蔽して照射領域Ｅに光を導くことができ、照射領域Ｅ上の照射分布を均一にすることができる。
【０１１６】
また、本実施の形態では、ブラケット６１の端部６１ｂを照射領域Ｅに対して副走査方一端部から外方に位置させ、ブラケット６１の端部６１ｂを、ブラケット６１の保持面から略直交する方向に延在する発光ダイオード４３の照射面４３ａの延在方向端部と、照射領域Ｅの副走査方向一端部とを結んだ線ｂ上に位置させたので、発光ダイオード４３の照射面４３ａに対して光遮蔽部６１ｃを上方に位置させることができる。このため、発光ダイオード４３から照射される光の一部を光遮蔽部６１ｃによって確実に遮蔽して照射領域Ｅに光を導くことができ、照射領域Ｅ上の照射分布を均一にすることができる。
【０１１７】
また、本実施の形態では、ブラケット６１を光遮蔽部材から構成したので、光遮蔽部６１ｃによって不要な照射光を確実に遮断することができ、照射領域Ｅ以外に意図しない光が照射されるのを防止することができる。このため、照射領域Ｅ上の照射分布を均一にして、原稿Ｐを良好に読取ることができる。
【０１１８】
なお、本実施の形態では、ブラケット６１を光遮蔽部材から構成しているが、図１０に示すように、回路基板５１の保持面側の光遮蔽部６１ｃ表面を黒色にして良い。このようにすれば、光遮蔽部６１ｃによって照射光を吸収し易くして、光遮蔽部６１ｃを通過する照射光を少なくすることができる。このため、照射領域Ｅ以外に意図しない光が照射されるのを防止して、照射領域Ｅ上の照射分布を均一にして原稿Ｐを良好に読取ることができる。
【０１１９】
また、本実施の形態では、ブラケット６１の端部６１ｂとコンタクトガラス１５の間隔を一定にしたときに、回路基板５１に対する発光ダイオード４３の位置を調整することにより、照射領域の副走査方向の幅、すなわち、原稿Ｐの読取領域の副走査方向の幅を調整することができる。
【０１２０】
以下、図９、図１１、図１２に基づいて具体的に説明する。
まず、副走査方向の幅を大きくして照射領域を広くするには、図１１に示すように、回路基板５１の照射領域Ｅ１側の端部５１ａを、ブラケット６１の照射領域Ｅ１側の端部６１ｂ近傍の第１保持位置に設置する。
【０１２１】
このようにすれば、光遮蔽部６１ｃの長さを短くすることができるので、光の遮蔽量を少なくすることができる。このため、ａで示すように照射領域Ｅ１以外に照射される直接光を光遮蔽部１１ｂによって遮蔽しつつ、副走査方向の照射領域Ｅ１の幅を広く調整することができる。
【０１２２】
また、副走査方向の幅を狭くして照射領域を狭くするには、図１２に示すように、回路基板５１の照射領域Ｅ２側の端部５１ａを、ブラケット６１の照射領域Ｅ２側の端部６１ｂ近傍の第１保持位置から照射領域と反対方向に離隔する第２保持位置に設置する。
【０１２３】
このようにすれば、光遮蔽部６１ｃの長さを長くすることができるので、光の遮蔽量を多くすることができる。このため、ａで示すように照射領域Ｅ２以外に照射される直接光を光遮蔽部６１ｃによって遮蔽しつつ、副走査方向の照射領域Ｅ２の幅を狭く調整することができる。
【０１２４】
また、副走査方向の幅を照射領域Ｅ１とＥ２の間の幅にするには、図９に示すように、回路基板５１の照射領域Ｅ２側の端部５１ａを、ブラケット６１の照射領域Ｅ２側の端部６１ｂ近傍の第１保持位置と、照射領域Ｅ２側の端部６１ｂ近傍から照射領域Ｅ２と反対方向に離隔する第２保持位置との間の第３保持位置に設置する。
【０１２５】
このようにすれば、光遮蔽部６１ｃの長さを図１１、図１２に示す光遮蔽部６１ａの間の長さにすることができるので、照射領域Ｅ以外に照射される直接光を光遮蔽部６１ａによって遮蔽しつつ、副走査方向の照射領域Ｅの幅を照射領域Ｅ１および照射領域Ｅ２の間の幅に調整することができる。
【０１２６】
このようにブラケット６１の端部６１ｂからの回路基板５１および発光ダイオード４３の設置位置を調整することにより、照射領域を任意の幅に調整することができる。
なお、上記各実施の形態では、発光素子として発光ダイオードを用いているが、ＥＬ（Electronic Luminescent）を用いても良い。
【産業上の利用可能性】
【０１２７】
以上のように、本発明に係る光照射装置、画像読取装置および画像形成装置は、簡単な構成で照射領域上の照射分布を均一にすることができ、被照射体を良好に読取ることができ、製造コストを低減することができるという効果を有し、原稿等の被照射体を読取るために被照射体に光を照射する発光素子を備えたスキャナ装置等の画像読取装置およびこの画像読取装置を備えたファクシミリ装置、複写機、複合機等の画像形成装置等として有用である。
【図面の簡単な説明】
【０１２８】
【図１】本発明に係る画像形成装置の第１の実施の形態の画像形成装置の概略構成図を示す図である。
【図２】本発明に係る画像形成装置の第１の実施の形態の画像読取部の各部品の位置関係を示す側面図である。
【図３】（ａ）は本発明に係る画像形成装置の第１の実施の形態の画像読取部の概略正面図、（ｂ）は画像読取部の概略斜視図である。
【図４】本発明に係る画像形成装置の第１の実施の形態の光照射装置の正面図である。
【図５】（ａ）は本発明に係る画像形成装置の第１の実施の形態の発光ダイオードおよび回路基板が取付けられたブラケットの構成図、（ｂ）はその斜視図である。
【図６】本発明に係る画像形成装置の第１の実施の形態の他の構成の光照射装置の正面図である。
【図７】本発明に係る画像形成装置の第１の実施の形態の他の構成の光照射装置の正面図である。
【図８】本発明に係る画像形成装置の第１の実施の形態の他の構成の光照射装置の正面図である。
【図９】本発明に係る画像形成装置の第２の実施の形態の光照射装置の正面図である。
【図１０】本発明に係る画像形成装置の第２の実施の形態の他の構成の光照射装置の正面図である。
【図１１】本発明に係る画像形成装置の第２の実施の形態の他の構成の光照射装置の正面図である。
【図１２】本発明に係る画像形成装置の第２の実施の形態の他の構成の光照射装置の正面図である。
【図１３】従来の画像読取装置の概略構成図である。
【図１４】キセノンランプを備えた従来の光照射装置の正面図である。
【図１５】発光ダイオードを備えた従来の光照射装置の正面図である。
【図１６】発光ダイオードを備えた従来の光照射装置の斜視図である。
【図１７】従来の光照射装置の発光ダイオードから照射領域に光を照射したときの理想的な照度分布を示す図である。
【図１８】従来の光照射装置の発光ダイオードから照射領域に光を照射したときの実際の照度分布を示す図である。
【符号の説明】
【０１２９】
１０  複写機（画像形成装置）
１３  画像読取部（画像読取装置）
１４  画像形成部（画像形成手段）
１５  コンタクトガラス（透明部材）
４３  発光ダイオード（発光素子）
５０、６０  光照射装置
５１  回路基板（保持部材、光遮蔽部材）
５１ａ  端部（照射領域側端部）
５１ｂ  光遮蔽部
６１  ブラケット（保持部材、装着部材、光遮蔽部材）
６１ｂ  端部（照射領域側端部）
６１ｃ  光遮蔽部
Ｅ、Ｅ１、Ｅ２  照射領域
Ｐ  原稿（被照射体）
【図１】
2008129247.tif 000003
【図２】
2008129247.tif 000004
【図３】
2008129247.tif 000005
【図４】
2008129247.tif 000006
【図５】
2008129247.tif 000007
【図６】
2008129247.tif 000008
【図７】
2008129247.tif 000009
【図８】
2008129247.tif 000010
【図９】
2008129247.tif 000011
【図１０】
2008129247.tif 000012
【図１１】
2008129247.tif 000013
【図１２】
2008129247.tif 000014
【図１３】
2008129247.tif 000015
【図１４】
2008129247.tif 000016
【図１５】
2008129247.tif 000017
【図１６】
2008129247.tif 000018
【図１７】
2008129247.tif 000019
【図１８】
2008129247.tif 000020